(57)【要約】本発明は、接続されている電子機器を正確に認識できるようにする情報処理装置および方法、記録媒体、並びにプログラムに関する。入力表示部２の４つの辺のうち、左側の縦の辺２−１の近傍には、リーダライタ３３−１が設けられている。携帯電話機１１は、ＲＦタグを内蔵しており、携帯電話機１１がリーダライタ３３−１の近傍に配置されると、リーダライタ３３−１は、ＲＦタグを検出することで、携帯電話機１１が近傍に配置されたことを検出する。入力表示部２には、携帯電話機１１のアイコン１１１が、辺２−１から次第に一部が現れ、遂に、は、全体が現れるように、移動表示される。本発明は、パーソナルコンピュータやＰＤＡ、或いは、携帯電話機などの情報処理装置に適用することができる。
2003021875.tif 000002
【特許請求の範囲】
【請求項１】
表示部に電子機器に対応するアイコンを表示し、前記アイコンを利用して、前記電子機器との間で所定の処理を実行する情報処理装置において、
前記電子機器が近傍に配置されたことを検出する検出手段と、
前記検出手段により前記電子機器が近傍に配置されたことが検出された場合、前記電子機器に対応するアイコンを、位置、色、濃度、または輝度が時間的に変化するように表示する表示手段と
を備えることを特徴とする情報処理装置。
【請求項２】
前記表示手段は、前記表示部の辺から、前記表示部の内部に向かってその位置が１本の直線に沿って移動するように、前記アイコンを表示する
ことを特徴とする請求の範囲第１項に記載の情報処理装置。
【請求項３】
前記表示手段は、ほぼ４角形の前記表示部の４つの辺のうち、前記検出手段に最も近い辺に対して垂直な直線であって、前記電子機器を通る直線に沿って移動するように、前記アイコンを表示する
ことを特徴とする請求の範囲第２項に記載の情報処理装置。
【請求項４】
前記検出手段により前記電子機器が近傍に配置されたことが検出された場合、前記電子機器との通信を確立する通信手段をさらに備え、
前記表示手段は、前記通信手段により前記電子機器との通信が確立した場合、前記アイコンの表示を変更する
ことを特徴とする請求の範囲第１項に記載の情報処理装置。
【請求項５】
前記検出手段により前記電子機器が近傍に配置されたことが検出された場合、前記電子機器を識別する識別手段を
さらに備えることを特徴とする請求の範囲第１項に記載の情報処理装置。
【請求項６】
前記識別手段は、前記電子機器からその識別情報を取得し、前記識別情報に基づいて、前記電子機器の機種または種類を判定する
ことを特徴とする請求の範囲第５項に記載の情報処理装置。
【請求項７】
前記検出手段は、前記電子機器が有するＲＦタグと電磁誘導により通信するリーダライタを含み、
前記通信手段は、前記電子機器と、近距離無線通信を行う
ことを特徴とする請求の範囲第１項に記載の情報処理装置。
【請求項８】
表示部に電子機器に対応するアイコンを表示し、前記アイコンを利用して、前記電子機器との間で所定の処理を実行する情報処理装置の情報処理方法において、
前記電子機器が近傍に配置されたことを検出する検出ステップと、
前記検出ステップの処理により前記電子機器が近傍に配置されたことが検出された場合、前記電子機器に対応するアイコンを、位置、色、濃度、または輝度が時間的に変化するように表示する表示ステップと
を含むことを特徴とする情報処理方法。
【請求項９】
表示部に電子機器に対応するアイコンを表示し、前記アイコンを利用して、前記電子機器との間で所定の処理を実行する情報処理装置のプログラムであって、
前記電子機器が近傍に配置されたことを検出する検出ステップと、
前記検出ステップの処理により前記電子機器が近傍に配置されたことが検出された場合、前記電子機器に対応するアイコンを、位置、色、濃度、または輝度が時間的に変化するように表示する表示ステップと
を含むことを特徴とするコンピュータが読み取り可能なプログラムが記録されている記録媒体。
【請求項１０】
電子機器が近傍に配置されたことを検出する検出手段と、
前記検出手段により前記電子機器が近傍に配置されたことが検出された場合、前記電子機器に関するアイコンを表示する表示手段と、
前記検出手段により前記電子機器が近傍に配置されたことが検出された場合、前記電子機器との通信を確立する通信手段と、
前記通信手段により前記電子機器との間で通信が確立したとき、前記アイコンを変更する変更手段と
を備えることを特徴とする情報処理装置。
【請求項１１】
前記検出手段により前記電子機器が近傍に配置されたことが検出された場合、前記電子機器を識別する識別手段を
さらに備えることを特徴とする請求の範囲第１０項に記載の情報処理装置。
【請求項１２】
前記識別手段は、前記電子機器からその識別情報を取得し、前記識別情報に基づいて、前記電子機器の機種または種類を判定する
ことを特徴とする請求の範囲第１１項に記載の情報処理装置。
【請求項１３】
前記検出手段は、前記電子機器が有するＲＦタグと電磁誘導により通信するリーダライタを含み、
前記通信手段は、前記電子機器と、近距離無線通信を行う
ことを特徴とする請求の範囲第１０項に記載の情報処理装置。
【請求項１４】
電子機器が近傍に配置されたことを検出する検出ステップと、
前記検出ステップの処理により前記電子機器が近傍に配置されたことが検出された場合、前記電子機器に関するアイコンを表示する表示ステップと、
前記検出ステップの処理により前記電子機器が近傍に配置されたことが検出された場合、前記電子機器との通信を確立する通信ステップと、
前記通信ステップの処理により前記電子機器との間で通信が確立したとき、前記アイコンを変更する変更ステップと
を含むことを特徴とする情報処理方法。
【請求項１５】
電子機器が近傍に配置されたことを検出する検出ステップと、
前記検出ステップの処理により前記電子機器が近傍に配置されたことが検出された場合、前記電子機器に関するアイコンを表示する表示ステップと、
前記検出ステップの処理により前記電子機器が近傍に配置されたことが検出された場合、前記電子機器との通信を確立する通信ステップと、
前記通信ステップの処理により前記電子機器との間で通信が確立したとき、前記アイコンを変更する変更ステップと
を含むことを特徴とするコンピュータが読み取り可能なプログラムが記録されている記録媒体。
【発明の詳細な説明】
技術分野
本発明は、情報処理装置および方法、並びに記録媒体に関し、特に、通信できる電子機器を確実に認識することができるようにした情報処理装置および方法、並びに記録媒体に関する。
背景技術
最近、携帯電話機やＰＤＡ（Ｐｅｒｓｏｎａｌ  Ｄｉｇｉｔａｌ  Ａｓｓｉｓｔａｎｔ）等の携帯用機器が急速に普及してきた。その結果、各ユーザは、複数のこれらの携帯用機器の間において、情報を交換する機会が多くなってきている。
しかしながら、携帯用機器は、その携帯性を優先するために、必然的に、その表示部の大きさが小さくなってくる。その結果、その表示部に表示できる文字や画像などは小さくなる。
そこで、携帯用機器に記憶されている文字や画像を、デスクトップ型のパーソナルコンピュータの表示部などに表示させることが考えられる。通常、デスクトップ型のパーソナルコンピュータの表示部は、携帯用機器の表示部に比べ大きいので、より見易い状態で、文字や画像を、表示させることができる。
ところで、例えば、携帯電話機に保持されているメールをパーソナルコンピュータに転送し、その表示部に拡大して表示させる場合、携帯電話機とパーソナルコンピュータをコードで接続すると、操作性が悪くなる。そこで、携帯電話機とパーソナルコンピュータを無線で接続し、データを無線で転送することが考えられる。
しかしながら、このように、携帯電話機からパーソナルコンピュータに、データを無線で転送する場合、携帯電話機が複数存在すると、いずれの携帯電話機から転送されたデータであるのかが、判りにくくなる場合がある。
発明の開示
本発明は、このような状況に鑑みてなされたものであり、パーソナルコンピュータと通信している相手の電子機器が、確実に認識できるようにするものである。
本発明の第１の情報処理装置は、電子機器が近傍に配置されたことを検出する検出手段と、検出手段により電子機器が近傍に配置されたことが検出された場合、電子機器に対応するアイコンを、位置、色、濃度、または輝度が時間的に変化するように表示する表示手段とを備えることを特徴とする。
前記表示手段は、表示部の辺から、表示部の内部に向かってその位置が１本の直線に沿って移動するように、アイコンを表示することができる。
前記表示手段は、ほぼ４角形の表示部の４つの辺のうち、検出手段に最も近い辺に対して垂直な直線であって、電子機器を通る直線に沿って移動するように、アイコンを表示することができる。
前記検出手段により電子機器が近傍に配置されたことが検出された場合、電子機器との通信を確立する通信手段をさらに備え、表示手段は、通信手段により電子機器との通信が確立した場合、アイコンの表示を変更することができる。
前記検出手段により電子機器が近傍に配置されたことが検出された場合、電子機器を識別する識別手段をさらに備えるようにすることができる。
前記識別手段は、電子機器からその識別情報を取得し、識別情報に基づいて、電子機器の機種または種類を判定することができる。
前記検出手段は、電子機器が有するＲＦタグと電磁誘導により通信するリーダライタを含み、通信手段は、電子機器と、近距離無線通信を行うことができる。
本発明の第１の情報処理方法は、電子機器が近傍に配置されたことを検出する検出ステップと、検出ステップの処理により電子機器が近傍に配置されたことが検出された場合、電子機器に対応するアイコンを、位置、色、濃度、または輝度が時間的に変化するように表示する表示ステップとを含むことを特徴とする。
本発明の第１の記録媒体のプログラムは、表示部に電子機器に対応するアイコンを表示し、アイコンを利用して、電子機器との間で所定の処理を実行する情報処理装置のプログラムであって、電子機器が近傍に配置されたことを検出する検出ステップと、検出ステップの処理により電子機器が近傍に配置されたことが検出された場合、電子機器に対応するアイコンを、位置、色、濃度、または輝度が時間的に変化するように表示する表示ステップとを含むことを特徴とする。
本発明の第２の情報処理装置は、電子機器が近傍に配置されたことを検出する検出手段と、検出手段により電子機器が近傍に配置されたことが検出された場合、電子機器に関するアイコンを表示する表示手段と、検出手段により電子機器が近傍に配置されたことが検出された場合、電子機器との通信を確立する通信手段と、通信手段により電子機器との間で通信が確立したとき、アイコンを変更する変更手段とを備えることを特徴とする。
前記検出手段により電子機器が近傍に配置されたことが検出された場合、電子機器を識別する識別手段をさらに備えるようにすることができる。
前記識別手段は、電子機器からその識別情報を取得し、識別情報に基づいて、電子機器の機種または種類を判定することができる。
前記検出手段は、電子機器が有するＲＦタグと電磁誘導により通信するリーダライタを含み、通信手段は、電子機器と、近距離無線通信を行うことができる。
本発明の第２の情報処理方法は、電子機器が近傍に配置されたことを検出する検出ステップと、検出ステップの処理により電子機器が近傍に配置されたことが検出された場合、電子機器に関するアイコンを表示する表示ステップと、検出ステップの処理により電子機器が近傍に配置されたことが検出された場合、電子機器との通信を確立する通信ステップと、通信ステップの処理により電子機器との間で通信が確立したとき、アイコンを変更する変更ステップとを含むことを特徴とする。
本発明の第２の記録媒体のプログラムは、電子機器が近傍に配置されたことを検出する検出ステップと、検出ステップの処理により電子機器が近傍に配置されたことが検出された場合、電子機器に関するアイコンを表示する表示ステップと、検出ステップの処理により電子機器が近傍に配置されたことが検出された場合、電子機器との通信を確立する通信ステップと、通信ステップの処理により電子機器との間で通信が確立したとき、アイコンを変更する変更ステップとを含むことを特徴とする。
本発明の第１の情報処理装置および方法、並びに記録媒体に記録されているプログラムにおいては、電子機器に対応するアイコンが、位置、色、濃度、または輝度が時間的に変化するように表示される。
本発明の第２の情報処理装置および方法、並びに記録媒体に記録されているプログラムにおいては、電子機器との間で通信が確立したとき、一旦表示されたアイコンが変更される。
発明を実施するための最良の形態
図１は、本発明を適用した情報処理システムの構成例を表している。この構成例においては、パーソナルコンピュータ１が、入力表示部２と、それに接続されている本体３を有している。入力表示部２には、所定の情報が表示されるとともに、図示せぬペン等をその上で操作することで、所定の情報を入力することができるようになされている。
また、入力表示部２には、リーダライタ３３が設けられており、ユーザは、必要に応じて、例えば、携帯電話機１１をリーダライタ３３の近傍に配置することで、携帯電話機１１とパーソナルコンピュータ１との間でデータを授受することができるようになされている。
図２は、パーソナルコンピュータ１の構成例を表している。ＣＰＵ（Ｃｅｎｔｒａｌ  Ｐｒｏｃｅｓｓｉｎｇ  Ｕｎｉｔ）２１は、ＲＯＭ（Ｒｅａｄ  Ｏｎｌｙ  Ｍｅｍｏｒｙ）２２、または記憶部２６に記憶されているプログラムに従って、各種の処理を実行する。ＲＡＭ（Ｒａｎｄｏｍ  Ａｃｃｅｓｓ  Ｍｅｍｏｒｙ）２３には、ＣＰＵ２１が実行するプログラムやデータ等が適宜記憶される。ＣＰＵ２１、ＲＯＭ２２、およびＲＯＭ２３は、バス２４を介して相互に接続されている。バス２４にはまた、入出力インタフェース２５が接続されている。入出力インタフェース２５には、入力表示部２の他、ハードディスク等で構成される記憶部２６、近距離無線通信により携帯電話機１１と通信する通信部２７、および所定の基地局と無線で電話回線を介して通信する通信部２８が接続されている。通信部２７の近距離無線通信としては、例えば、半径が１０ｍ以下の範囲で通信が可能とされるブルートゥース（商標）が用いられる。
入力表示部２には、ユーザのペンの操作を検知する透明なタブレット３１、並びにタブレット３１の下側に配置され、文字、図形等の画像を表示するＬＣＤ（Ｌｉｑｕｉｄ  Ｃｒｙｓｔａｌ  Ｄｉｓｐｌａｙ）３２が設けられている。入力表示部２には、さらに、携帯電話機１１が有するＲＦタグ７２（図３）と通信するリーダライタ３３が、図１に示されるように、ＬＣＤ３２の外周（図１の例の場合、左側）に設けられている。
入出力インタフェース２５には、さらに、ドライブ２９が接続されており、このドライブ２９には、磁気ディスク４１、光ディスク４２、光磁気ディスク４３、または半導体メモリ４４等が、適宜装着できるようになされている。これらの磁気ディスク４１乃至半導体メモリ４４より読み出されたプログラムは、ドライブ２９から入出力インタフェース２５を介して、記憶部２６に供給される。
図３は、携帯電話機１１の構成例を表している。ＣＰＵ６１乃至入出力インタフェース６５は、図２のパーソナルコンピュータ１のＣＰＵ２１乃至入出力インタフェース２５と基本的に同様の機能を有するものであるので、その説明は省略する。
携帯電話機１１においては、入出力インタフェース６５に、各種のボタンやスイッチ等により構成される入力部６６が接続されているとともに、所定の情報を表示するためのＬＣＤ（Ｌｉｑｕｉｄ  Ｃｒｙｓｔａｌ  Ｄｉｓｐｌａｙ）６７が接続されている。入出力インタフェース６５には、さらに、半導体メモリ等で構成される記憶部６８と、電話回線を介して通信を行う通信部６９が接続されている。入出力インタフェース６５にはまた、他の電子機器（例えば、パーソナルコンピュータ１の通信部２７）と近距離無線通信する通信部７３が接続されている。
マイクロホン７０は、ユーザの音声信号を取り込み、スピーカ７１は、ユーザに対して音声信号を出力する。ＲＦタグ７２は、内部にＩＣを有し、パーソナルコンピュータ１のリーダライタ３３と通信し、内部に記憶している携帯電話機１１の識別番号をリーダライタ３３に送信する。また、ＲＦタグ７２は、リーダライタ３３から供給されたデータを、内蔵するメモリに記憶する機能を有している。
次に図４と図５のフローチャートを参照して、パーソナルコンピュータ１と携帯電話機１１の動作について説明する。ユーザは、携帯電話機１１とパーソナルコンピュータ１との間において、データを授受する等の処理を行いたいと思うとき、携帯電話機１１を入力表示部２の近傍の位置（図１において、点線で示すリーダライタ３３の近傍の位置）に配置する。
リーダライタ３３は、充分短い周期で定期的に電磁波を送信しており、携帯電話機１１がリーダライタ３３の近傍に配置されると、リーダライタ３３と携帯電話機１１のＲＦタグ７２の電磁結合により、リーダライタ３３が内蔵するアンテナの等価的なインピーダースが変化する。リーダライタ３３は、図４のステップＳ１において、このインピーダースの変化をモニタすることで、携帯電話機１１が近傍に配置されたか否かを判定し、近傍に配置されるまで待機する。
携帯電話機１１がリーダライタ３３の近傍に配置されたとき、リーダライタ３３は、ステップＳ２において、携帯電話機１１に対して、ネットワーク上のアドレスの送信を要求する。いまの場合、ネットワークは、近距離無線通信により構成されるので、リーダライタ３３は、携帯電話機１１の識別番号の送信を要求する。
この要求に基づいて、後述するように、携帯電話機１１からネットワーク上のアドレス（識別番号）が送信されてくるので、ステップＳ３において、リーダライタ３３は、携帯電話機１１からネットワーク上のアドレスを受信するまで待機し、受信したとき、ステップＳ４に進み、受信した携帯電話機１１のネットワーク上のアドレス（識別番号）をＣＰＵ２１に供給する。ＣＰＵ２１は、この識別番号をＲＡＭ２３に供給し、記憶させる。
次に、ステップＳ５において、ＣＰＵ２１は、通信部２７を制御し、ステップＳ４で記憶された携帯電話機１１のネットワーク上のアドレスにアクセスさせ、ネットワーク上のコネクションを確立させる。具体的には、通信部２７からＲＡＭ２３に記憶された識別番号に基づいて認証処理が行われ、正しい認証結果が得られた場合、パーソナルコンピュータ１と携帯電話機１１との間において、ブルートゥースによるコネクションが確立する。
その後、ステップＳ６において、パーソナルコンピュータ１は、ブルートゥースによる無線通信により、携帯電話機１１との間において、所定の処理を実行する。この処理の具体例については後述する。
一方、携帯電話機１１のＲＦタグ７２は、図５のステップＳ１１において、パーソナルコンピュータ１のリーダライタ３３からの電磁波を受信したか否かを判定する（リーダライタ３３の近傍に配置されたか否かを判定する）。携帯電話機１１が、リーダライタ３３の近傍に配置されたと判定された場合、ステップＳ１２に進み、ＲＦタグ７２は、ネットワーク上のアドレスの送信が要求されるまで待機する。上述したように、パーソナルコンピュータ１のリーダライタ３３は、ステップＳ２において、携帯電話機１１に対してネットワーク上のアドレスの送信を要求してくるので、この送信の要求を受けたと判定された場合、ステップＳ１３に進み、ＲＦタグ７２は、内部のメモリに記憶されている携帯電話機１１のネットワーク上のアドレス（いまの場合、識別番号）を読み出し、リーダライタ３３に送信する。
なお、ネットワーク上のアドレスは、ＲＯＭ６２や、記憶部６８に記憶させておくこともできる。この場合、ＣＰＵ６１によりそれらから読み出されたアドレスが、ＲＦタグ７２から送信される。
ステップＳ１４において、携帯電話機１１のＣＰＵ６１は、通信部７３を介してパーソナルコンピュータ１からアクセスを受けるまで待機する（いまの場合、ブルートゥースの無線通信により読み出されるまで待機する）。
通信部７３は、ステップＳ１４において、パーソナルコンピュータ１の通信部２７からブルートゥースの無線通信により呼び出しを受けたと判定した場合、ステップＳ１５に進み、これに応答し、パーソナルコンピュータ１との間にブルートゥースの無線通信を利用したコネクションを確立する。
その後、ステップＳ１６に進み、携帯電話機１１は、ブルートゥースの無線通信を利用してパーソナルコンピュータ１との間において、所定の処理を実行する。この処理は、図４のステップＳ６の処理に対応する。
なお、ブルートゥースの無線通信による接続が確立した後は、以後、このブルートゥースの無線通信に基づいて通信が行われるので（リーダライタ３３とＲＦタグ７２の間で通信が行われるわけではないので）、携帯電話機１１はパーソナルコンピュータ１から離しても、その距離が、約１０ｍ以内であれば（近距離無線通信が可能な距離であれば）、図５のステップＳ１６と図４のステップＳ６に対応する処理が実行可能である。
次に、図４のステップＳ６と図５のステップＳ１６で実行される処理の例についてさらに説明する。
図６は、携帯電話機１１を入力表示部２のリーダライタ３３の近傍に配置することで、携帯電話機１１とパーソナルコンピュータ１との間で、ブルートゥースによる通信を確立した後、携帯電話機１１に登録されているメールの内容を入力表示部２のＬＣＤ３２上に拡大して、表示させる例を表している。
次に、この場合の携帯電話機１１とパーソナルコンピュータ１の処理について、図７と図８のフローチャートを参照して説明する。
携帯電話機１１のＣＰＵ６１は、図７のステップＳ７１において、ＲＡＭ６３に記憶されている、それまで受信されたメールの送信者と主題（サブジェクト）を読み出し、ステップＳ７２において、その読み出されたメールの送信者と主題をパーソナルコンピュータ１に送信させる。すなわち、このとき、ＣＰＵ６１は、通信部７３を制御し、ブルートゥースの無線通信によりパーソナルコンピュータ１に送信させる。
送信されたメールの送信者と主題は、図６に示されるように、パーソナルコンピュータ１のＬＣＤ３２上に表示され、ユーザがその表示の中から所定のものを選択すると、その選択信号が携帯電話機１１に送信されてくる。
そこで、ステップＳ７３において、ＣＰＵ６１は、メールが選択されたことが通知されるまで待機し、メールが選択されたことが通知されたとき、ステップＳ７４に進み、選択されたメールの内容をＲＡＭ６３から読み出し、通信部７３からパーソナルコンピュータ１に送信させる。
このような携帯電話機１１の処理に対応して、パーソナルコンピュータ１は、図８のフローチャートに示す処理を実行する。
最初に、ステップＳ８１において、ＣＰＵ２１は、携帯電話機１１からメールの送信者と主題が送信されてくると、これを受信する。すなわち、通信部２７は、携帯電話機１１の通信部７３からブルートゥースの無線通信によりメールの送信者と主題が送信されてくると、これを受信し、ＲＡＭ２３に供給し、記憶させる。ステップＳ８２において、ＣＰＵ２１は、ＲＡＭ２３に記憶された送信者と主題を読み出し、ＬＣＤ３２に出力し、表示させる。これにより、例えば、図６に示されるように、携帯電話機１１から送信されてきたメールの送信者と主題がウィンドウ９１に表示される。
ユーザは、この表示を見てペンを操作することで、ウィンドウ９１内の１つのメールの送信者または主題を指定することで、メールを選択する。そこで、ステップＳ８３において、ＣＰＵ２１は、メールが選択されるまで待機し、メールが選択されたとき、ステップＳ８４に進み、選択されたメールを携帯電話機１１に通知する。すなわち、このとき、ＣＰＵ２１は、通信部２７を制御し、ブルートゥースの無線通信によりユーザにより指定された（選択された）メールがどれであるのかを、携帯電話機１１に通知する。
選択されたメールを通知すると、上述したように、携帯電話機１１からその選択されたメールの内容が送信されてくるので、ステップＳ８５において、通信部２７は、携帯電話機１１から送信されてきたメールの内容を受信する。このメールの内容は、ＲＡＭ２３に一旦供給され、記憶される。そして、ステップＳ８６において、ＣＰＵ２１は、ＲＡＭ２３に記憶されたメールの内容を読み出し、ＬＣＤ３２の、ウィンドウ９１の右側、またはユーザがペンで指定した位置（これらの位置は、タブレット３１の出力から検知される）に、出力し、表示させる。
このようにして、例えば、図６に示されるように、ウィンドウ９２に選択されたメールの内容が表示される。図６の例においては、ウィンドウ９１内の２番目のメール（送信者がＢＢＢであり、主題がｂｂであるメール）の内容が、「今日は。今日はいい天気ですね。」と表示されている。
以上においては、メールの内容をパーソナルコンピュータ１に送信するようにしたが、例えば、携帯電話機１１（ＰＤＡでもよい）がビデオカメラ（図示せず）を内蔵し、記憶部６８に、撮像した静止画像または動画像を記憶している場合、この静止画像または動画像をパーソナルコンピュータ１に送信させるようにすることもできる。図９は、この場合のパーソナルコンピュータ１のＬＣＤ３２の表示例を表している。
この例では、ウインドウ９５に、携帯電話機１１から送信された画像が表示されている。この画像が動画像である場合、携帯電話機１１のビデオカメラにより撮像された画像が、ＬＣＤ３２にリアルタイムで表示されることになる。
図６に示されるように、本発明においては、携帯電話機１１がリーダライタ３３により検知されると、携帯電話機１１に対応するアイコン１１１が入力表示部２のＬＣＤ３２に表示される。従って、ユーザは、以後、アイコン１１１を利用してパーソナルコンピュータ１と携帯電話機１１との間の処理を指示することができる。
次に、図１０のフローチャートを参照して、このアイコン１１１をＬＣＤ３２に表示させるパーソナルコンピュータ１の処理について説明する。
なお、図１０の処理は、図４のステップＳ１の処理でリーダライタ３３により携帯電話機１１のＲＦタグ７２が検出されたと判定されたとき、図４の処理と平行してＣＰＵ２１により実行される。
ステップＳ１０１において、パーソナルコンピュータ１のＣＰＵ２１は、相手機器を検出したリーダライタを識別する処理を実行する。
すなわち、図１の例においては、リーダライタ３３が１個だけ設けられているが、例えば、図１１に示されるように、複数個設けることができる。図１１の例においては、入力表示部２の四角形の辺のうちの、左側の垂直な辺２−１、右側の垂直な辺２−２、上側の水平な辺２−３、下側の水平な辺２−４に沿って、それぞれリーダライタ３３−１乃至３３−４が配置されている。また、辺２−１と辺２−３の交点、辺２−１と２−４の交点、辺２−２と２−３の交点、並びに辺２−２と辺２−４の交点の近傍に、リーダライタ３３−５乃至３３−８が配置されている。さらに、入力表示部２のほぼ中央の上面と下面に、それぞれリーダライタ３３−９，３３−１０が配置されている。
ＣＰＵ２１は、これらのリーダライタ３３−１乃至３３−１０（以下、これらのリーダライタ３３−１乃至３３−１０を個々に区別する必要がない場合、単にリーダライタ３３と称する）のうちのいずれが相手機器を検出したのかを、ステップＳ１０１において、識別する。
次に、ステップＳ１０２に進み、ＣＰＵ２１は、ステップＳ１０１の処理で識別されたリーダライタ３３からＬＣＤ３２の中心方向に向かうベクトル、またはそのリーダライタ３３に最も近い辺であって、その辺に垂直な方向の、そのリーダライタ３３を通るベクトルを算出する。
図１１の例においては、それぞれリーダライタ３３−１乃至３３−１０に対応して、ベクトルＶ１乃至Ｖ１０が算出される。
ベクトルＶ１乃至Ｖ４は、それぞれ辺２−１乃至２−４に垂直なベクトルであって、対応するリーダライタ３３−１乃至３３−４を通るベクトルである。
ベクトルＶ５乃至Ｖ８は、リーダライタ３３−５乃至３３−８を通るベクトルであって、ＬＣＤ３２の中心に向かうベクトルである。
さらに、ベクトルＶ９とベクトルＶ１０は、それぞれリーダライタ３３−９，３３−１０を通るベクトルであって、ＬＣＤ３２を上から下方向に、または下から上方向に向かうベクトルである。
図１２は、以上のベクトルＶ１乃至ベクトルＶ１０の方向を、より判りやすく示している。
次に、ステップＳ１０３に進み、ＣＰＵ２１は、ステップＳ１０２の処理で算出したベクトルに沿って、検出した相手機器に対応する図形（アイコン）が移動するように表示する。
図１３乃至図１８は、この場合の表示例を示している。この例においては、携帯電話機１１が、図１３に示されるように、辺２−１の左側からリーダライタ３３−１に次第に近づくように配置される。携帯電話機１１がこのように配置されるとき、最も近傍に配置される（最も大きな信号を出力する）リーダライタは、リーダライタ３３−１となる。その結果、ベクトルＶ１が算出されることになる。そこで、ＣＰＵ２１は、ベクトルＶ１（図１１）に沿って、アイコン１１１を辺２−１から次第に露出するように表示させる。図１３乃至図１８を参照して明らかなように、アイコン１１１は、何も表示されていない状態から、次第にその一部が表示され、遂には、全部が表示される。そして、全部が表示された後、アイコン１１１は、さらに、ベクトルＶ１に沿って、ＬＣＤ３２の中央に向かって移動される。
ステップＳ１０４において、ＣＰＵ２１は、相手機器の機種が判定できたか否かを判定する。すなわち、上述したように、ＣＰＵ２１は、図４のステップＳ３の処理で相手機器の識別番号を取得する。ユーザは、パーソナルコンピュータ１と通信する機器を、予めパーソナルコンピュータ１に登録しておく。従って、パーソナルコンピュータ１の記憶部２６のテーブルには、ユーザが通信する相手機器の機種が、予め記憶されている。従って、ＣＰＵ２１は、そのテーブルを参照することで、識別番号からその相手機器がどのような機種であるのか（例えば、携帯電話機の型番号）を判定することができる。
ステップＳ１０４において、相手機器の機種が判定できたと判定された場合、ステップＳ１０５に進み、ＣＰＵ２１は、判定された機器に対応するアイコンが、記憶部２６に記憶されているか否かを判定する。すなわち、上述したように、ＣＰＵ２１は、ユーザが保持している機器を、パーソナルコンピュータ１に予め登録したとき、その機種に対応するアイコンを、その識別番号に対応して記憶させる。例えば、相手機器が所定の型番号の携帯電話機である場合には、その型番号の携帯電話機用のアイコンが記憶され、所定の型番号のＰＤＡであれば、その型番号のＰＤＡ用のアイコンが記憶される。
従って、相手機器が予め登録されている機器である場合には、対応するアイコンが記憶されていることになる。この場合、ステップＳ１０５からステップＳ１０６に進み、ＣＰＵ２１は、ステップＳ１０３の処理で一旦表示されたアイコンを、登録されているアイコンに変更する処理を実行する。
換言すれば、ステップＳ１０３の処理で、最初に表示されたアイコン（図形）は、何らかの相手機器が検出されたことを表すアイコンであって、全ての相手機器に共通のアイコンとなっている。そして、このアイコンは、単純な、例えば、電子機器の外形を表す線（輪郭線）だけで表示されている。
このように、線だけで表示されていたアイコンが、ステップＳ１０６の処理では、実際の機器の形状、構造等に対応するアイコンに変更される。これにより、ユーザは、パーソナルコンピュータ１により、機器の認識が正しく行われたことを判定することができる。
すなわち、相手機器が予め登録されている機器であるので、その形状や色彩などの、その具体的な機種に対応するアイコンが登録されている。そこで、その機種に対応するアイコンが、記憶部２６から読み出され、表示される。
従って、この場合には、例えば、携帯電話機であったとしても、その機種（型番号）が異なるものであるものであれば、アイコンも異なるものが対応して表示される。
識別番号に機種を特定できる情報が含まれている場合には、その機器を予め登録をしておかなくても、読み取った識別番号に基づいて、その機種を判定することが可能である。但し、この場合、登録はしていないので、機種に対応するアイコンは、まだ記憶されていない。このような場合、機種が判定できたとしても、機種に対応するアイコンが記憶されていないので、ステップＳ１０７の処理に進む。ステップＳ１０４において、機種が判定できなかったと判定された場合にも、処理はステップＳ１０７に進む。
ＣＰＵ２１は、ステップＳ１０７において、相手機器の機種が判定できないまでも、種類が判定できたか否かを判定する。すなわち、ここでは、相手機器が携帯電話機であるのか、ＰＤＡであるのかといった相手機器の種類が判定される。相手機器が予め登録されていない場合であったとしても、その識別番号から相手機器の種類を判定することができる場合がある。この場合、ステップＳ１０８に進み、ＣＰＵ２１は、相手機器の種類に対応するアイコンが記憶されているか否かを判定する。相手機器の種類に対応するアイコンが記憶されている場合には、ステップＳ１０９に進み、ＣＰＵ２１は、ステップＳ１０３で表示されたアイコンを、その相手機器の種類に対応するアイコンに変更する。このとき、表示されるアイコンは、例えば、携帯電話機であれば、いずれの機種の携帯電話機であっても、同一のアイコンとされる。また、ＰＤＡであれば、その機種が異なったとしても、共通のＰＤＡ用のアイコンとされる。
ステップＳ１０７において、相手機器の種類も判定できなかったと判定された場合、またはステップＳ１０８において、種類が判定できたが、その種類に対応するアイコンが記憶されていないと判定された場合、ステップＳ１１０に進み、ＣＰＵ２１は、ステップＳ１０３で表示されたアイコンを、全ての相手機器に共通に用いられる共通アイコンに変更する。
ＣＰＵ２１は、以上のようにして、ステップＳ１０６，Ｓ１０９、またはＳ１１０の処理で、アイコンを変更した後、ユーザがそのアイコンを利用して所定の操作をしたとき、その操作を受け付ける。換言すれば、ステップＳ１０３の処理で表示されたアイコン（ステップＳ１０６，Ｓ１０９，Ｓ１１０の処理で変更される前のアイコン）は、パーソナルコンピュータ１に、相手機器の存在が検出されたことをユーザに知らしめる機能を有するが、実際にそのアイコンを利用して、パーソナルコンピュータ１に所定の処理を指令することはできない。
これに対して、ステップＳ１０６，Ｓ１０９，Ｓ１１０の処理で、表示が変更された後のアイコンに対してユーザが操作を行った場合には、ＣＰＵ２１は、その操作を受け付け、その操作に対応する処理を実行する。
図１９乃至図２３は、図１１におけるリーダライタ３３−９または３３−１０により、相手機器が検出された場合の表示例を表している。この表示例においては、最初、薄く表示されていたアイコンが、次第に濃いアイコンとなるように、表示が順次変更される。すなわち、この例においては、表示状態は、順次変更されるが、表示位置は変更されない。
なお、ベクトルＶ９に沿って表示する場合には、アイコンが上から降ってくるような印象の変化とすることができる。
リーダライタ３３は、電磁誘導に基づいてＲＦタグ７２を検出するので、相手機器をリーダライタ３３に対して充分に近づけないと、相手機器を検出することができない。そこで、例えば、図１に示されるように、リーダライタ３３がＬＣＤ３２の左側の辺２−１に対向する位置にしか設けられていないような場合、右側の辺２−２、上側の辺２−３、下側の辺２−４の近傍に、相手機器を配置したとしても、リーダライタ３３は、これを検出することができない。そこで、例えば、図２４Ａおよび図２４Ｂに示されるように、リーダライタ３３が配置されている位置を、ユーザがより認識しやすいように、対応する位置に、四角形のマーカ１３１（図２４Ａ）または円形のマーカ１４１（図２４Ｂ）を印刷したり、シールを添付するなどして、表示するようにするのが好ましい。このようにすれば、ユーザは、迷うことなく、辺２−１の近傍に、相手機器を配置することができるからである。
しかしながら、図１３乃至図１８に示されるように、ベクトルに沿って所定の辺からＬＣＤ３２の中央に向かって移動するように、アイコン１１１を表示させると、このようなマーカを設けずとも、ユーザに、リーダライタ３３の位置を認識させることが可能となる。
すなわち、図１３乃至図１８に示されるように、辺２−１から次第にアイコン１１１が現れるように表示すれば、ユーザは、辺２−１の近傍にリーダライタ３３が存在することを容易に認識することができる。
さらに、また、辺２−ｉ（ｉ＝１，２，３，４）からアイコン１１２を次第に現れるように表示させると、表示されているアイコンと、そのアイコンに対応する実際の相手機器の対応関係を、ユーザは、容易に認識できるようになる。
例えば、図２５に示されるように、携帯電話機１１がリーダライタ３３により検出されたとき、アイコン１１１を辺２−４から一部分が次第に現れ、遂には、全体が現れるように移動表示させるのではなく、予め定められた所定の位置（図２５の例においては、中央の位置）に瞬時に表示させるようにすることも可能である。
しかしながら、そのようにすると、例えば、図２６に示されるように、既に第１の携帯電話機１１−１に対応するアイコン１１１−１が表示されている状態において、第２の携帯電話機１１−２が、リーダライタ３３に近づけられたような場合、その第２の携帯電話機１１−２に対応するアイコン１１１−２も瞬時に表示させるようにすると、第２の携帯電話機１１−２がアイコン１１１−１とアイコン１１１−２のいずれに対応するのかを、ユーザは識別するのが困難となる。両者を識別するには、ユーザは、アイコン１１１−１が表示されている状態において、アイコン１１１−２が追加される瞬間を見逃さないように、凝視していなければならない。
このことは、アイコン１１１−１とアイコン１１１−２が実質的に同一の画像のアイコンである場合には、特に顕著となる。
これに対して、本願発明における場合のように、第２のアイコン１１１−２が時間をかけて辺２−４から移動表示されると、ユーザは、第２の携帯電話機１１−２が対応するアイコンがアイコン１１１−２であることを、より容易に認識しやすくなる。特に、上述したように、相手機器は、一旦アイコンが表示されると（通信が確立した後は）、リーダライタ３３の近傍に配置しておく必要がなくなるので、アイコンの配置と、それに対応する相手機器の配置は、必ず対応するものとはならない。
例えば、第１のアイコン１１１−１が左側に表示され、第２のアイコン１１１−２が右側に表示されていたとしても、第１の携帯電話機１１−１が第２の携帯電話機１１−２の左に配置されているとは限らないことになる。
このような場合においても、ユーザは、第２の携帯電話機１１−２に対応するアイコンが、いずれであるのかを容易に認識することが可能となる。
さらに、図２７に示されるように、携帯電話機１１−１をリーダライタ３３−１の近傍に配置すると同時に、第２の携帯電話機１１−２をリーダライタ３３−４の近傍に配置する操作をユーザが行ったような場合、より先に検知された携帯電話機に対応するアイコン１１１がＬＣＤ３２に表示されることになるが、仮に、アイコン１１１が瞬時に中央に表示されるものとすると、ユーザは、このアイコン１１１が携帯電話機１１−１と１１−２のいずれに対応するアイコンであるのかを認識することが困難となる。
これに対して、本願発明における場合のように、アイコン１１１を辺２−１または辺２−４から次第に現れるように表示すれば、ユーザは、アイコン１１１が辺２−１から次第にあらわれるように表示された場合には、そのアイコン１１１は、携帯電話機１１−１に対応するものであることを認識することができ、またアイコン１１１が辺２−４から次第にあらわれるように表示された場合には、アイコン１１１は、携帯電話機１１−２のアイコンであることを容易に認識することができる。
以上においては、リーダライタ３３をＬＣＤ３２の外周近傍に配置するようにしたが、ＬＣＤ３２から充分離した位置に配置した場合にも、本発明を適用することができる。以下、この場合の例について、説明する。
図２８の例においては、ノート型パーソナルコンピュータ２０１が示されている。このノート型パーソナルコンピュータ２０１は、本体２０２と、それに対して回動自在な表示部２０３により構成されている。リーダライタ３３−２１とリーダライタ３３−２２が本体２０２の左右端部近傍に配置されている。この場合、携帯電話機１１がリーダライタ３３−２１の近傍に配置されたとき、表示部２０３の４つの辺２０３−１乃至２０３−４のうち、リーダライタ３３−２１に最も近い辺２０３−４に垂直であって、リーダライタ３３−２１を通るベクトルＶ２１１に沿ってアイコンが移動表示される。
同様に、リーダライタ３３−２２の近傍に、携帯電話機１１が配置された場合には、辺２０３−４に垂直で、リーダライタ３３−２２を通るベクトルＶ２１２に沿ってアイコンが移動表示される。
図２９は、デスクトップ型パーソナルコンピュータ２３１の例を表している。この例においては、ボード２４２上に、リーダライタ３３−３１が設けられているとともに、キーボード２４１上にリーダライタ３３−３２が設けられている。ＣＲＴ２４３の４つの辺２４３−１乃至２４３−４のうち、リーダライタ３３−３１，３３−３２に最も近い辺は、辺２４３−４である。従って、携帯電話機１１をリーダライタ３３−３１の近傍に配置した場合には、リーダライタ３３−３１を通り、辺２４３−４に垂直なベクトルＶ２５１に沿って辺２４３−４から次第に現れるようにアイコンが表示される。また、リーダライタ３３−３２の近傍に携帯電話機１１が配置された場合には、リーダライタ３３−３２を通り、辺２４３−４に垂直なベクトルＶ２５２に沿って辺２４３−４から次第に現れるようにアイコンが表示される。
図３０の例においては、テレビジョン受像機２６１の上面にリーダライタ３３−４１が配置されている。従って、ＲＦタグを有するリモートコマンダ２６０をリーダライタ３３−４１の近傍に配置した場合には、テレビジョン受像機２６１の表示部２６２を構成する４つの辺２６２−１乃至２６１−４のうち、リーダライタ３３−４１に最も近い辺２６２−３に垂直なベクトル２８１に沿って、辺２６２−３から次第に現れるように、アイコンが表示される。
また、テレビジョン受像機２６１から離れた位置に配置されている台２７１上にも、リーダライタ３３−４２が形成されている。そこで、リモートコマンダ２６０をリーダライタ３３−４２の近傍に配置すると、リーダライタ３３−４２に最も近い辺２６２−４に垂直であって、リーダライタ３３−４２を通るベクトルＶ２８２に沿ってアイコンが表示される。
但し、この場合、ベクトルＶ２８２は、実際には、表示部２６２を透過する方向のベクトルとなるが、表示部２６２の表示部に沿ったベクトルとしてベクトルが演算される。
従って、この場合には、辺２６２−４からアイコンが徐々に現れて、次第に上方向に（辺２６２−３の方向に）アイコンが移動表示されることになる。
このように、相手機器は、常に携帯電話機である必要はなく、例えば、図３０の例に示されるように、テレビジョン受像機２６１に対して、各種の指令を入力するとき操作されるリモートコマンダ２６０を相手機器とすることも可能である。
図３１の例においては、テレビジョン受像機２６１の下側、上側、または左側にセットトップボックス２９２−１乃至２９２−３が配置されている。なお、図３１には、３台のセットトップボックス２９２−１乃至２９２−３（これらを個々に区別する必要がない場合、単にセットトップボックス２９２と称する）が配置されている状態が示されているが、実際には、３台が同時に配置されるのではなく、１台を、いずれか１つの位置に配置するのである。
セットトップボックス２９２は、図３２に示されるように、その上面と正面に、リーダライタ３３−５１，３３−５２が設けられている。
従って、セットトップボックス２９２−１（テレビジョン受像機２６１の下方の台２９１上に配置されたセットトップボックス２９２−１）の近傍に、セットトップボックス２９２に対してワイヤレスで信号を出力するリモートコマンダ２９０が配置された場合、セットトップボックス２９２−１に最も近い辺２６２−４に垂直で、セットトップボックス２９２−１を通るベクトルＶ３０１−１に沿って、下から上にアイコンが移動表示される。
テレビジョン受像機２６１の上面に配置されたセットトップボックス２９２−２の近傍に、リモートコマンダ２９０が配置された場合には、セットトップボックス２９２−２に最も近い辺２６２−３に垂直なベクトルであって、セットトップボックス２９２−２を通るベクトルＶ３０１−２に沿って、上から下にアイコンが移動表示される。
テレビジョン受像機２６１の左側に配置されている台２９３上に配置されているセットトップボックス２９２−３に対して、リモートコマンダ２９０が近づけられた場合には、セットトップボックス２９２−３に最も近い辺２６２−１に垂直なベクトルであって、セットトップボックス２９２−３を通るベクトルＶ３０１−３に沿って、辺２６２−１から徐々に現れるように、アイコンが表示される。
また、図３１の例においては、テレビジョン受像機２６１から離れた位置に配置されている台２７１上にも、リーダライタ３３−５３が配置されている。但し、このリモートコマンダ２９０は、図３０の例における場合のように、テレビジョン受像機２６１のリモートコマンダではなく、セットトップボックス２９２のリモートコマンダである。従って、リモートコマンダ２９０が、台２７１のリーダライタ３３−５３の近傍に配置された場合には、図３０のベクトルＶ２８１に沿ってアイコンが表示されるのではなく、ベクトルＶ３０１−１乃至Ｖ３０１−３に沿って表示される。いずれのベクトルになるかは、セットトップボックス２９２の配置位置によって決定される。すなわち、この場合、リモートコマンダ２９０を、セットトップボックス２９２−１乃至２９２−３のいずれかの近傍に配置した場合と同様にアイコンが表示される。
以上においては、相手機器として、携帯電話機とリモートコマンダを例としたが、ＰＤＡ（Ｐｅｒｓｏｎａｌ  Ｄｉｇｉｔａｌ  Ａｓｓｉｓｔａｎｔｓ）や、その他の機器であっても、本発明を適用することが可能である。
また、パーソナルコンピュータとテレビジョン受像機以外の情報処理装置にも本発明を適用することが可能である。
さらに、アイコンは、形状や濃度を変更するのではなく、色や輝度（明るさ）を変更するようにしてもよい。
以上においては、ブルートゥースによる通信相手の端末の特定は、携帯電話機１１のＲＦタグ７２に記憶されている識別情報（例えば、ネットワーク上のアドレス）に基づいて行われるとしたが、携帯電話機１１にＲＦタグ７２が設けられていない場合であっても、無線モジュール（ブルートゥースモジュール）としての通信部７３の電波の出力電力を制御することにより、通信相手の端末を特定することができる。
以下、無線モジュールから出力される電波の出力電力を制御することにより、通信相手の端末を特定する通信システムについて説明する。
図３３は、電波の出力電力を制御することにより、通信相手の端末を特定させる通信システムの構成例を示す図である。
この例においては、パーソナルコンピュータ１とＰＤＡ５０１間での通信について説明するが、ＰＤＡ５０１を携帯電話機１１に置き換えた場合であっても同様である。
例えば、ブルートゥースによる通信相手を特定し、その相手との間で通信を確立する場合、ＰＤＡ５０１は、始めに、通信モジュール５１１の出力電力を必要最小限に抑制し、輻射される電波が、例えば、数センチメートルの範囲内にのみ到達するように制御する。このように、電波の出力電力が抑制される微小電力モードが設定されている状態において、通信モジュール５１１は、「Ｉｎｑｕｉｒｙ（問い合わせ）」を繰り返し行い、その電波の届く範囲（例えば、数センチメートル範囲内）に存在する端末を探索する。ブルートゥースによる通信においては、電波の届く範囲内に存在する他のブルートゥース端末を探索するフェーズとして「Ｉｎｑｕｉｒｙ」が規定され、Ｉｎｑｕｉｒｙにより検出された端末との間で通信リンク（同期）を確立するフェーズとして「Ｐａｇｅ」が規定されている。
そして、ユーザによりＰＤＡ５０１がパーソナルコンピュータ１に近接または載置され、通信モジュール５１１により輻射される電波がパーソナルコンピュータ１の通信部２７（無線モジュール）により受信された場合、通信部２７からは、Ｉｎｑｕｉｒｙに対する応答が行われるため、通信モジュール５１１は、通信部２７との間で、上述したように、Ｉｎｑｕｉｒｙ，Ｐａｇｅ（呼び出し）を行い、通信リンクを確立する。ここで確立される通信リンクは、微小電力モードが設定されている通信モジュール５１１からの電波が届く、非常に狭い範囲内で有効なものである。
従って、通信モジュール５１１は、ある程度離れている場合であっても通信部２７との通信が可能となるように、一旦、通信リンクを切断し、通信モジュール５１１自身の電力モードの設定を、微小電力モードから通常電力モードに変更した後、既に取得している情報（近距離でのＩｎｑｕｉｒｙ，Ｐａｇｅにより取得している情報）に基づいて、再度、通信部２７との間で通信リンクを確立する。
再度確立された通信リンクは、通常のブルートゥースによる通信と同様に、例えば、数十メートルなどの電波の届く範囲内で有効なものとなり、パーソナルコンピュータ１とＰＤＡ５０１の距離が十分離れている場合であっても、ブルートゥースによる通信が可能となる。
以上のように、ＰＤＡ５０１にネットワーク上のアドレスが記憶されているＲＦタグが設けられていない場合であっても、通信モジュールの出力電力を制御させるようにすることにより、ユーザは、ＰＤＡ５０１をパーソナルコンピュータ１に近接させるだけで、ブルートゥースによる通信を確立させることができる。
なお、通信モジュール５１１の電力モードをシームレスに切り換えることができる場合、微小電力モードが設定されているときに確立された通信リンクを一旦切断することなく、電力モードの設定を微小電力モードから通常電力モードに切り換えるようにしてもよい。
図３４は、図３３のＰＤＡ５０１の構成例を示すブロック図である。
ＰＤＡ５０１の構成は、通信部６９（電話回線を介して行われる通信の通信モジュール）、マイクロホン７０、スピーカ７１、およびＲＦタグ７２が設けられていない点を除いて、図３に示される携帯電話機１１の構成と基本的に同様であるため、重複する部分について、その詳細な説明は適宜省略する。
ＣＰＵ５２１は、例えば、ＲＯＭ５２２からＲＡＭ５２３に展開されたプログラムに従って、ＰＤＡ５０１の全体の動作を制御し、上述したように、通信モジュール５１１の電波の出力電力を、その通信状況に応じて制御する。
図３５は、図３４の通信モジュール５１１の詳細な構成例を示すブロック図である。
無線制御部５４１は、切り換えスイッチ５４４を制御し、通信モジュール５１１から外部の端末に対して情報を送信する場合には、スイッチ５４４Ａを接点ａ側に接続し、一方、外部の端末から送信されてくる情報を受信する場合には、スイッチ５４４Ａを接点ｂ側に接続する。また、無線制御部５４１は、バス５２４および入出力インタフェース５２５を介して行われるＣＰＵ５２１からの制御に基づいて、パワーアンプ５４５の利得を制御し、アンテナ５４７から輻射される電波の到達範囲（出力電力）を制御する。
具体的には、無線制御部５４１は、微小電力モードを設定することがＣＰＵ５２１により指示されている場合、アンテナ５４７から輻射される電波の到達範囲が必要最小限のものとなるようにパワーアンプ５４５の利得を制御し、一方、通信相手の端末を特定でき、微小電力モードから通常電力モードに切り換えることが指示された場合、出力される電波の到達範囲がより広範囲なものになるようにパワーアンプ５４５の利得を制御する。
ベースバンド制御部５４２は、送受信信号のベースバンド信号を制御する。変復調処理部５４３は、ベースバンド制御部５４２からの出力に対して、ＧＦＳＫ変調処理やホッピング周波数に基づくスペクトラム拡散処理などを行い、得られた信号をパワーアンプ５４５を介してアンテナ５４７から出力する。また、変復調処理部５４３は、ＬＮＡ（Ｌｏｗ  Ｎｏｉｓｅ  Ａｍｐｌｉｆｉｅｒ）からの出力に対して、スペクトラム逆拡散処理やＧＦＳＫ復調処理を行い、得られた信号をベースバンド制御部５４２に出力する。
パーソナルコンピュータ１の構成については、図２に示される構成と同様であり、その説明は省略する。なお、図３３に示される通信システムにおいては、パーソナルコンピュータ１に図２のリーダライタ３３が設けられている必要はない。
次に、図３６のフローチャートを参照して、図３３の通信システムの動作について説明する。この例においては、ブルートゥースによる通信相手を特定し、通信を確立する場合について説明する。
例えば、ユーザによりブルートゥースによる通信を行うことが指示されたとき、通信モジュール５１１は、ＣＰＵ５２１からの制御に基づいて起動し、ステップＳ２０１において、自分自身の電力モードとして微小電力モードを設定する。また、通信モジュール５１１は、ステップＳ２０２に進み、Ｉｎｑｕｉｒｙを繰り返し実行し、近接されている端末を探索する。ステップＳ２０２で実行されるＩｎｑｕｉｒｙにおいては、微小電力モードが設定され、電波の到達範囲が必要最小限に抑制されているため、例えば、アンテナ５４７から数センチメートルの範囲内に、ＩＱパケット（Ｉｎｑｕｉｒｙパケット）が繰り返しブロードキャストされる。
一方、パーソナルコンピュータ１の通信部２７は、ステップＳ２１１において、Ｉｎｑｕｉｒｙスキャン、Ｐａｇｅスキャンを繰り返し実行する状態とし、他の端末から、Ｉｎｑｕｉｒｙ，Ｐａｇｅの要求があるまで待機する。
ユーザにより、ＰＤＡ５０１がパーソナルコンピュータ１に近接され、パーソナルコンピュータ１の通信部２７がＰＤＡ５０１の通信モジュール５１１からの電波の到達範囲内にあるとき、通信モジュール５１１からブロードキャストされているＩＱパケットがステップＳ２２２において通信部２７により受信される。
通信部２７は、通信モジュール５１１からブロードキャストされているＩＱパケットが受信されたとき、それに応答すべく、ステップＳ２２３に進み、ＦＨＳパケットを通信モジュール５１１に送信する。このＦＨＳパケットには、パーソナルコンピュータ１（ブルートゥースのスレーブ）の属性情報として、パーソナルコンピュータ１のブルートゥースアドレスとブルートゥースクロックを表す情報が含まれている。
通信部２７から送信されてきたＦＨＳパケットをステップＳ２０３において受信したとき、ステップＳ２０４に進み、通信モジュール５１１は、通信部２７に対して接続を要求する。
すなわち、通信モジュール５１１から通信部２７に対してＩＤパケットが送信され、そのＩＤパケットと同一のＩＤパケットが通信部２７から通信モジュール５１１に対して送り返されてきたとき、通信モジュール５１１のブルートゥースアドレスおよびブルートゥースクロックを含む、ＦＨＳパケットが通信モジュール５１１から通信部２７に対して送信される。
通信モジュール５１１から送信されたＦＨＳパケットが通信部２７によりステップＳ２２４において受信されたとき、通信モジュール５１１と通信部２７の間で周波数軸（周波数ホッピングパターン）および時間軸（タイムスロット）の同期が確立され、データリンク（通信リンク）が確立された状態となる（ｓｔａｔｅ１）。
例えば、通信部２７と通信モジュール５１１との間で、初めてブルートゥースによるデータリンクが確立された場合、ステップＳ２０５において、通信モジュール５１１は、ＰＩＮ（Ｐｅｒｓｏｎａｌ  Ｉｄｅｎｔｉｆｉｃａｔｉｏｎ  Ｎｕｍｂｅｒ）コードを通信部２７に対して送信し、相互に認証を行う。通信モジュール５１１から送信されてきたＰＩＮコードは、ステップＳ２２５において、通信部２７により受信され、その後、ＰＩＮコードと乱数などに基づいて、通信モジュール５１１と通信部２７との間で、各種のリンクキーが設定される。なお、ＰＩＮコードの送受信は、通信部２７から通信モジュール５１１に対して提供された公開鍵により暗号化されてから行われるようにしてもよい。すなわち、この場合、通信部２７は、通信モジュール５１１に提供する公開鍵に対応する秘密鍵を自ら管理している。これにより、セキュリティを向上させることができ、より確実に、パーソナルコンピュータ１とＰＤＡ５０１の間でのみブルートゥースによる通信を実行させることができる。
以上のようにして確立された通信リンクは、微小電力モードが設定されている通信モジュール５１１からの電波が届く、数センチメートルの範囲内で有効なものであるため、通信モジュール５１１は、ある程度離れている場合であっても通信部２７との通信が可能となるように、電力モードを切り換えるべく、ステップＳ２０６において、通信部２７に対してデータリンクの一時的な切断を要求する。このとき、通信部２７のブルートゥースアドレスやＰＩＮコード等の、それまでの処理により取得された情報は通信モジュール５１１に保存される。
その要求をステップＳ２２６において受信した通信部２７は、通信モジュール５１１と同様に、それまでに取得された通信モジュール５１１のブルートゥースアドレスやＰＩＮコード等の情報を保存し、データリンクを切断する（ｓｔａｔｅ２）。
通信モジュール５１１は、ステップＳ２０７において、再度、通信部２７とデータリンクを確立すべく、ＣＰＵ５２１からの制御に基づいて、出力電力を制御する電力モードを通常電力モードに設定する。これにより、例えば、数十メートルの範囲まで、通信モジュール５１１からのブルートゥースの電波が到達することになる。
また、通信モジュール５１１は、ステップＳ２０８に進み、データリンクを切断する直前に保存していた情報に基づいて、パーソナルコンピュータ１を通信相手の端末として特定し、通信部２７に対して接続を要求する。
この要求がステップＳ２２７において通信部２７により受信され、お互いの端末において設定が行われることにより、通信モジュール５１１と通信部２７の間でデータリンクが確立した状態、すなわち、通常電力モードが設定されている通信モジュール５１１からの電波が届く、例えば、数十メートルの範囲内でブルートゥースによる通信が可能な状態となる（ｓｔａｔｅ３）。
以上のようにして、近接された端末を通信相手の端末として特定する図３３の通信システムが、図１に示される、パーソナルコンピュータ１と携帯電話機１１からなる情報処理システムに適用され、近接された端末を表すアイコンが、その方向（ベクトル）に応じてパーソナルコンピュータ１のＬＣＤ３２に表示される。
すなわち、この場合、図１１に示されるように配置されるリーダライタ３３−１乃至３３−１０と対応する位置に、図３７に示されるように通信部２７−１乃至２７−１０が設けられる。
そして、通信部２７−１乃至２７−１０のうちのいずれの通信部により、微小電力モードが設定されているＰＤＡ５０１の通信モジュール５１１（携帯電話機１１の通信部７３）が検出された、すなわち、いずれの通信部により通信モジュール５１１との間で図３６の処理が実行され、通信リンクが確立されたかに基づいて、ＰＤＡ５０１の移動方向を表すベクトルが算出され、ＬＣＤ３２に表示される、ＰＤＡ５０１を表すアイコンの表示が制御される（アイコンの出現方向が制御される）。
同様に、図２８のノート型パーソナルコンピュータ２０１に設けられるリーダライタ３３−２１，３３−２２と対応する位置、図２９のデスクトップ型パーソナルコンピュータ２３１に設けられるリーダライタ３３−２１，３３−２２と対応する位置、図３０のテレビジョン受像機２６１と台２７１に設けられるリーダライタ３３−４１，３３−４２と対応する位置、図３１の台２７１とセットトップボックス２９２−１乃至２９２−３に設けられるリーダライタ３３−５１乃至３３−５３と対応する位置にそれぞれ通信部（無線モジュール）を設けることによっても、近づけられた携帯電話機やリモートコントローラに設けられている通信モジュールとの間で図３６の処理が実行され、通信リンクが確立された通信部を特定することにより、携帯電話機やリモートコントローラのベクトルを算出することができ、その方向に応じて、アイコンの表示が制御される。
以上のようにして電波の出力電力を制御することにより通信相手の端末を特定し、近接された方向を検出することによっても、好適なユーザインタフェースを実現することが可能になる。
上述した一連の処理は、ソフトウエアにより実行させることができる。この場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
この記録媒体は、図２に示されるように、装置本体とは別に、ユーザにプログラムを提供するために配布される、プログラムが記録されている磁気ディスク４１（フロッピディスクを含む）、光ディスク４２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク４３（ＭＤ（Ｍｉｎｉ−Ｄｉｓｋ）を含む）、もしくは半導体メモリ４４などよりなるパッケージメディアにより構成されるだけでなく、装置本体に予め組み込まれた状態でユーザに提供される、プログラムが記録されているＲＯＭ２２や、記憶部２６に含まれるハードディスクなどで構成される。
産業上の利用可能性
以上のように、本発明によれば、電子機器が近傍に配置された場合、電子機器に対応するアイコンを、位置、色、または輝度を時間的に変化させて表示するようにしたので、通信する電子機器を確実に認識することが可能になる。
また、本発明によれば、電子機器との間で通信が確立したとき、アイコンを変更するようにしたので、アイコンを利用して電子機器との間で処理を実行することが可能になるタイミングをユーザは確実に知ることができ、優れたユーザインターフェースを実現することが可能になる。
【図面の簡単な説明】
図１は、本発明を適用した情報処理システムの構成例を示す図である。
図２は、図１のパーソナルコンピュータの構成例を示すブロック図である。
図３は、図１の携帯電話機の構成例を示すブロック図である。
図４は、図１の情報処理システムにおけるパーソナルコンピュータの処理を説明するフローチャートである。
図５は、図１の情報処理システムにおける携帯電話機の処理を説明するフローチャートである。
図６は、携帯電話機とパーソナルコンピュータの間のデータの授受を説明する図である。
図７は、図６の例における携帯電話機の処理を説明するフローチャートである。
図８は、図６の例におけるパーソナルコンピュータの処理を説明するフローチャートである。
図９は、携帯電話機とパーソナルコンピュータの間の画像データの授受を説明する図である。
図１０は、図１の情報処理システムにおけるアイコンの表示処理を説明するフローチャートである。
図１１は、ベクトルを説明する図である。
図１２は、ベクトルを説明する斜視図である。
図１３は、アイコンの移動表示例を示す図である。
図１４は、アイコンの移動表示例を示す図である。
図１５は、アイコンの移動表示例を示す図である。
図１６は、アイコンの移動表示例を示す図である。
図１７は、アイコンの移動表示例を示す図である。
図１８は、アイコンの移動表示例を示す図である。
図１９は、アイコンの移動表示例を示す図である。
図２０は、アイコンの移動表示例を示す図である。
図２１は、アイコンの移動表示例を示す図である。
図２２は、アイコンの移動表示例を示す図である。
図２３は、アイコンの移動表示例を示す図である。
図２４Ａは、マーカを説明する図である。
図２４Ｂは、他のマーカを説明する図である。
図２５は、アイコンの他の表示例を示す図である。
図２６は、アイコンの他の表示例を示す図である。
図２７は、アイコンの他の表示例を示す図である。
図２８は、アイコンの他の表示例を示す図である。
図２９は、アイコンの他の表示例を示す図である。
図３０は、アイコンの他の表示例を示す図である。
図３１は、アイコンの他の表示例を示す図である。
図３２は、図３１におけるセットトップボックスのリーダライタの位置を説明する図である。
図３３は、本発明を適用した通信システムの構成例を示す図である。
図３４は、図３３のＰＤＡの構成例を示すブロック図である。
図３５は、図３４の通信モジュールの構成例を示すブロック図である。
図３６は、図３３の通信システムの処理を説明するフローチャートである。
図３７は、パーソナルコンピュータの入力表示部の構成例を示す図である。
【図１】
2003021875.tif 000003
【図２】
2003021875.tif 000004
【図３】
2003021875.tif 000005
【図４】
2003021875.tif 000006
【図５】
2003021875.tif 000007
【図６】
2003021875.tif 000008
【図７】
2003021875.tif 000009
【図８】
2003021875.tif 000010
【図９】
2003021875.tif 000011
【図１０】
2003021875.tif 000012
【図１１】
2003021875.tif 000013
【図１２】
2003021875.tif 000014
【図１３】
2003021875.tif 000015
【図１４】
2003021875.tif 000016
【図１５】
2003021875.tif 000017
【図１６】
2003021875.tif 000018
【図１７】
2003021875.tif 000019
【図１８】
2003021875.tif 000020
【図１９】
2003021875.tif 000021
【図２０】
2003021875.tif 000022
【図２１】
2003021875.tif 000023
【図２２】
2003021875.tif 000024
【図２３】
2003021875.tif 000025
【図２４Ａ】
2003021875.tif 000026
【図２４Ｂ】
2003021875.tif 000027
【図２５】
2003021875.tif 000028
【図２６】
2003021875.tif 000029
【図２７】
2003021875.tif 000030
【図２８】
2003021875.tif 000031
【図２９】
2003021875.tif 000032
【図３０】
2003021875.tif 000033
【図３１】
2003021875.tif 000034
【図３２】
2003021875.tif 000035
【図３３】
2003021875.tif 000036
【図３４】
2003021875.tif 000037
【図３５】
2003021875.tif 000038
【図３６】
2003021875.tif 000039
【図３７】
2003021875.tif 000040
【手続補正書】
【提出日】平成15年1月24日(2003.1.24)
【手続補正１】
【補正対象書類名】明細書
【補正対象項目名】特許請求の範囲
【補正方法】変更
【補正の内容】
【特許請求の範囲】
【請求項１】
（補正後）表示部に電子機器に対応するアイコンを表示し、前記アイコンを利用して、前記電子機器との間で所定の処理を実行する情報処理装置において、
前記電子機器が近傍に配置されたことを検出する、１つまたは２つ以上の検出手段と、
前記検出手段により前記電子機器が近傍に配置されたことが検出された場合、前記電子機器を検出した前記検出手段の設置場所に対応する位置から、前記表示部中心に向かうベクトルを算出するベクトル算出手段と、
前記電子機器に対応するアイコンを、前記ベクトル算出手段により算出された前記ベクトルに沿って移動表示する表示手段と
を備えることを特徴とする情報処理装置。
【請求項２】
前記表示手段は、前記表示部の辺から、前記表示部の内部に向かってその位置が１本の直線に沿って移動するように、前記アイコンを表示する
ことを特徴とする請求の範囲第１項に記載の情報処理装置。
【請求項３】
前記表示手段は、ほぼ４角形の前記表示部の４つの辺のうち、前記検出手段に最も近い辺に対して垂直な直線であって、前記電子機器を通る直線に沿って移動するように、前記アイコンを表示する
ことを特徴とする請求の範囲第２項に記載の情報処理装置。
【請求項４】
前記検出手段により前記電子機器が近傍に配置されたことが検出された場合、前記電子機器との通信を確立する通信手段をさらに備え、
前記表示手段は、前記通信手段により前記電子機器との通信が確立した場合、前記アイコンの表示を変更する
ことを特徴とする請求の範囲第１項に記載の情報処理装置。
【請求項５】
前記検出手段により前記電子機器が近傍に配置されたことが検出された場合、前記電子機器を識別する識別手段を
さらに備えることを特徴とする請求の範囲第１項に記載の情報処理装置。
【請求項６】
前記識別手段は、前記電子機器からその識別情報を取得し、前記識別情報に基づいて、前記電子機器の機種または種類を判定する
ことを特徴とする請求の範囲第５項に記載の情報処理装置。
【請求項７】
（補正後）前記検出手段は、前記電子機器が有するＲＦタグと電磁誘導により通信するリーダライタを含み、
前記通信手段は、前記電子機器と、近距離無線通信を行う
ことを特徴とする請求の範囲第４項に記載の情報処理装置。
【請求項８】
（補正後）前記検出手段は、微弱電力モードにおける機器探索により相手を特定するブルートゥース通信を用いて前記電子機器を検出する
ことを特徴とする請求の範囲第４項に記載の情報処理装置。
【請求項９】
（補正後）表示部に電子機器に対応するアイコンを表示し、前記アイコンを利用して、前記電子機器との間で所定の処理を実行する情報処理装置の情報処理方法において、
前記電子機器が近傍に配置されたことを１または２以上の検出部により検出する検出ステップと、
前記検出ステップの処理により前記電子機器が近傍に配置されたことが検出された場合、前記電子機器を検出した前記検出部の設置場所に対応する位置から、前記表示部中心に向かうベクトルを算出するベクトル算出ステップと、
前記電子機器に対応するアイコンを、前記ベクトル算出ステップの処理により算出された前記ベクトルに沿って移動表示する表示ステップと
を含むことを特徴とする情報処理方法。
【請求項１０】
電子機器が近傍に配置されたことを検出する検出手段と、
前記検出手段により前記電子機器が近傍に配置されたことが検出された場合、前記電子機器に関するアイコンを表示する表示手段と、
前記検出手段により前記電子機器が近傍に配置されたことが検出された場合、前記電子機器との通信を確立する通信手段と、
前記通信手段により前記電子機器との間で通信が確立したとき、前記アイコンを変更する変更手段と
を備えることを特徴とする情報処理装置。
【請求項１１】
前記検出手段により前記電子機器が近傍に配置されたことが検出された場合、前記電子機器を識別する識別手段を
さらに備えることを特徴とする請求の範囲第１０項に記載の情報処理装置。
【請求項１２】
前記識別手段は、前記電子機器からその識別情報を取得し、前記識別情報に基づいて、前記電子機器の機種または種類を判定する
ことを特徴とする請求の範囲第１１項に記載の情報処理装置。
【請求項１３】
前記検出手段は、前記電子機器が有するＲＦタグと電磁誘導により通信するリーダライタを含み、
前記通信手段は、前記電子機器と、近距離無線通信を行う
ことを特徴とする請求の範囲第１０項に記載の情報処理装置。
【請求項１４】
電子機器が近傍に配置されたことを検出する検出ステップと、
前記検出ステップの処理により前記電子機器が近傍に配置されたことが検出された場合、前記電子機器に関するアイコンを表示する表示ステップと、
前記検出ステップの処理により前記電子機器が近傍に配置されたことが検出された場合、前記電子機器との通信を確立する通信ステップと、
前記通信ステップの処理により前記電子機器との間で通信が確立したとき、前記アイコンを変更する変更ステップと
を含むことを特徴とする情報処理方法。
【請求項１５】
削除
【国際調査報告】
2003021875.tif 000041
2003021875.tif 000042